(57)【特許請求の範囲】
【請求項１】
フィーダー部と振動体部から成り、多数個のチップを整列搬送する振動式フィーダーであり、該振動式フィーダーの振動体部を取付ベースに、振動体部の振動を防振・遮断する弾性体を介在した状態で設置して備えたものである振動式フィーダーにおいて、
振動式フィーダーの振動体部の前後、左右の一方若しくは両方に近接して取付ベースに設けた取付部に板バネの上端を固定すると共に、該板バネの下端を振動体部の前後、左右の一方若しくは両方の下端部付近に固定して、取付ベースに振動式フィーダーを吊り下げた状態に連結して備えた振動式フィーダーの設置位置高精度保持手段であり、
もって、弾性体の弾性性能のバラツキ、剛性不足、設置環境の変動による変化、経時的寸法変化に影響されることなしに、振動式フィーダーの設置位置を高精度に保持すると共に、該振動式フィーダーと次工程デバイス間の精密な相互位置関係を保持し得るようにしたことを特徴とする、振動式フィーダーの設置位置高精度保持手段。
【発明の詳細な説明】
【技術分野】
【０００１】本発明は、フィーダー部と振動体部（振動装置）から成り、多数個のチップ（各種チップ型電子部品、例・チップコンデンサー、レジスター等、例・０４０２型、０６０３型、１００５型等の各型式のチップ、例・０６０３型は長さ０．６ｍｍ×幅０．３ｍｍの長方形立方体、以下、単にチップと記す。）を整列搬送する振動式フィーダーであり、該振動式フィーダーの振動体部を取付ベースに、振動体部の振動を防振・遮断する弾性体を介在した状態で設置して備えたものである振動式フィーダーにおいて、
振動式フィーダーの振動体部の前後、左右の一方若しくは両方に近接して取付ベースに設けた取付部に板バネの上端を固定すると共に、該板バネの下端を振動体部の前後、左右の一方若しくは両方の下端部付近に固定して、取付ベースに振動式フィーダーを吊り下げた状態に連結して備えた振動式フィーダーの設置位置高精度保持手段であり、
もって、弾性体の弾性性能のバラツキ、剛性不足、設置環境の変動による変化、経時的寸法変化に影響されることなしに、振動式フィーダーの設置位置を高精度に保持すると共に、該振動式フィーダーと次工程デバイス、例えば、吸着ノズル（チップマウンター装置＝チップ実装機）（図１参照）、受取・供給ステージ（チップ送給ローター等への中継ステージ）（図２参照）等、との間の精密な相互位置関係を保持し得るようにした、振動式フィーダーの設置位置高精度保持手段に係るものである。
【背景技術】
【０００２】従来、振動式フィーダーにおいて、該振動式フィーダーを設置する取付ベース（通常、多数台を並列設置）へ振動体部から振動が洩れないように、振動体部と取付ベースの間に弾性体（合成、天然の各種ゴム等の防振・振動吸収素材からなる。）を設置する方法が用いられている。
即ち、振動式フィーダー（その振動体部）と取付ベースとは、完全に分離されており、両者間に上記の弾性体が介在設置されて、両者間の振動の伝達を弾性体の作用で防振・遮断するように備えたものである。
該弾性体の設置は、例えば、ゲル状の弾性体を振動体部と取付ベースの間に設定したギャップに注入し、経時硬化（半日位）して行なっている。
なお、多数台を並列設置する場合、弾性体は各振動式フィーダー毎に備える。【０００３】然るところ、上記の弾性体には、弾性性能のバラツキ、剛性不足（剛性を高めると防振性・振動遮断性が低下）、設置環境の温度・湿度等の変動により影響を受ける、長時間使用による経時的寸法変化（例、全体若しくは部分的な屈縮、硬化）等の課題があったため、振動式フィーダーの設置位置を高精度に保持すること、そして、振動式フィーダーと次工程デバイス間の精密な相互位置関係を保持することが困難な課題があった。【０００４】特に、振動式フィーダーと次工程デバイス間の相互位置関係は、近時、超高速化が進行しているチップの振動式フィーダーから次工程デバイスへの搬送・移乗・１個分離等の作用時に（現在、０６０３型チップの場合、毎分３０００〜６０００個）、ミクロン単位の精度低下でトラブルが多発する課題があった。【０００５】（図１参照）
例えば、振動式フィーダー（の先端部に送給されたチップ）と次工程デバイスである吸着ノズル（チップを１個宛ピックアップしてチップマウンター装置＝チップ実装機へ移動）との相互位置精度は、０６０３型チップの場合、Ｘ・Ｙ・Ｚ（振動式フィーダーのチップ送給方向＝チップの長手方向と吸着ノズルとの相互の左右・前後・上下の位置）の許容寸法精度は±２／１００ｍｍであるが、その位置精度を保持することが困難な課題があり、その位置精度の低下はピックアップトラブル多発の原因となる課題があった。
【特許文献１】特願２００７−１３９８１８号
【特許文献２】特願２００７−２６１４５３号
【特許文献３】特開２０００−００７１３６号公報
【特許文献４】特開２００２−３０２２４４号公報
【発明の開示】
【発明が解決しようとする課題】
【０００６】上記のように、弾性体には、弾性性能のバラツキ、剛性不足（剛性を高めると防振性・振動遮断性が低下）、設置環境の温度・湿度等の変動により影響を受ける、長時間使用による経時的寸法変化（例、全体若しくは部分的な屈縮、硬化）等の課題があるため、振動式フィーダーの設置位置を高精度に保持すること、そして、振動式フィーダーと次工程デバイス間の精密な相互位置関係を保持することが困難な課題があったが、
本発明は、振動式フィーダーの振動体部を取付ベースに板バネを介して吊り下げた状態に連結して備えることにより上記の課題を解決した振動式フィーダーの設置位置高精度保持手段を提供せんとするものである。
【課題を解決するための手段】
【０００７】即ち、本発明は、フィーダー部と振動体部から成り、多数個のチップを整列搬送する振動式フィーダーであり、該振動式フィーダーの振動体部を取付ベースに、振動体部の振動を防振・遮断する弾性体を介在した状態で設置して備えたものである振動式フィーダーにおいて、
振動式フィーダーの振動体部の前後、左右の一方若しくは両方に近接して取付ベースに設けた取付部に板バネの上端を固定すると共に、該板バネの下端を振動体部の前後、左右の一方若しくは両方の下端部付近に固定して、取付ベースに振動式フィーダーを吊り下げた状態に連結して備えた振動式フィーダーの設置位置高精度保持手段であり、
もって、弾性体の弾性性能のバラツキ、剛性不足、設置環境の変動による変化、経時的寸法変化に影響されることなしに、振動式フィーダーの設置位置を高精度に保持すると共に、該振動式フィーダーと次工程デバイス間の精密な相互位置関係を保持し得るようにしたことを特徴とする、振動式フィーダーの設置位置高精度保持手段によって課題を解決したものである。
【発明の効果】
【０００８】本発明は、振動式フィーダーの振動体部を取付ベースに吊り下げた状態に連結して備えることにより、振動式フィーダーの高精度に調整した設置位置を確実に保持することができ、その結果、弾性体に起因する、弾性性能のバラツキ、剛性不足（剛性を高めると防振性・振動遮断性が低下）、設置環境の温度・湿度等の変動により影響を受ける、長時間使用による経時的寸法変化（例、全体若しくは部分的な屈縮、硬化）等の課題を有効に解決することができ、よって、振動式フィーダーの設置位置を高精度に保持し得ると共に、該振動式フィーダーと次工程デバイス間の精密な相互位置関係を保持し得る画期的な効果がある。【０００９】具体的には、振動式フィーダーと次工程デバイス（吸着ノズル、受取・供給ステージ等）との相互位置精度、即ち、振動式フィーダーのチップ送給方向＝チップの長手方向と次工程デバイスの、左右Ｘ・前後Ｙ・上下Ｚの相互の位置関係は、ミクロン単位の精度が要求されるが、その相互位置精度を確実に保持し得る優れた効果がある。
【発明を実施するための最良の形態】
【００１０】振動式フィーダー１の振動体部３を取付ベース４に、弾性体５を介在した状態で設置し、振動式フィーダー１と次工程デバイス６を、両者３、６間の精密な位置関係を保持した状態に備えたものである振動式フィーダー１において、振動式フィーダー１の振動体部３の前後に近接して取付ベース４に設けたに取付部７に板バネ８の上端を固定すると共に、該板バネ８の下端を振動体部３の前後の下端部付近に固定して、取付ベース４に振動式フィーダー１を吊り下げた状態に連結して備えた、振動式フィーダーの設置位置高精度保持手段。
【実施例１】
【００１１】図１は、本発明実施例振動式フィーダーと吸着ノズル（次工程デバイス）の正面説明図である。【００１２】次工程デバイスの一例である吸着ノズルは、振動式フィーダーの先端部へ整列搬送してきたチップの、先頭のチップから１個宛順に吸着ノズルでピックアップ（吸着）して移動し、プリント基板等の目的位置にマウント（実装）するチップマウンター装置＝チップ実装機における吸着ノズルである。【００１３】（図１参照）
本発明の実施例１を説明すると、
フィーダー部２と振動体部３から成り、多数個のチップｔを整列搬送する振動式フィーダー１であり、該振動式フィーダー１の振動体部３を取付ベース４に、振動体部３の振動を防振・遮断する弾性体５を介在した状態で設置し、そのように設置した振動式フィーダー１と吸着ノズル（次工程デバイス）６を、両者３、６間の精密な位置関係を保持した状態に備えたものである振動式フィーダー１において、
振動式フィーダー１の振動体部３の前後に近接して取付ベース４に設けた取付部７に板バネ８の上端を固定すると共に、該板バネ８の下端を振動体部３の前後の下端部付近に固定して、取付ベース４に振動式フィーダー１を吊り下げた状態に連結して備えた、振動式フィーダーの設置位置高精度保持手段である。
【実施例２】
【００１４】図２は、本発明振動式フィーダーと受取・供給ステージ（次工程デバイス）の正面説明図である。【００１５】次工程デバイスの一例である受取・供給ステージ６は、振動式フィーダー１の先端部へ１列整列搬送してきたチップｔを、一旦、該受取・供給ステージ６へ乗換え移乗する中継ステージであり、そのチップｔを、例えば、高速間欠回転するチップ送給ローターのチップ装填凹部へ１個宛分離装填して搬送し、次いで、例えば、チップテープのチップ装填孔へ移乗装填してチップテープを製造するものである。【００１６】（図２参照）
本発明の実施例２を説明すると、
フィーダー部２と振動体部３から成り、多数個のチップｔを整列搬送する振動式フィーダー１であり、該振動式フィーダー１の振動体部３を取付ベース４に、振動体部３の振動を防振・遮断する弾性体５を介在した状態で設置し、そのように設置した振動式フィーダー１と受取・供給ステージ（次工程デバイス）６を、両者３、６間の精密な位置関係を保持した状態に備えたものである振動式フィーダー１において、
振動式フィーダー１の振動体部３の前後に近接して取付ベース４に設けた取付部７に板バネ８の上端を固定すると共に、該板バネ８の下端を振動体部３の前後の下端部付近に固定して、取付ベース４に振動式フィーダー１を吊り下げた状態に連結して備えた、振動式フィーダーの設置位置高精度保持手段である。
【産業上の利用可能性】
【００１７】本発明は、上記のようなチップを整列搬送する振動式フィーダーに限らず、振動式フィーダーの振動体部を取付ベースに弾性体を介在して設置する方式を使用している各種ワークの振動式ストレートフィーダー、振動式ボールフィーダー等の設置位置を高精度に保持する手段として汎用し得る。
【図面の簡単な説明】
【００１８】
【図１】本発明実施例振動式フィーダーと吸着ノズル（次工程デバイス）の正面説明図。（実施例１）
【図２】本発明振動式フィーダーと受取・供給ステージ（次工程デバイス）の正面説明図。（実施例２）
【符号の説明】
【００１９】ｔ  チップ
１  振動式フィーダー
２  フィーダー部
３  振動体部
４  取付ベース
５  弾性体
６  次工程デバイス（吸着ノズル、受取・供給ステージ）
７  取付部（取付ベース）
８  板バネ
【図１】
0005158411.tif 000002
【図２】
0005158411.tif 000003